(57)【要約】【課題】  第１対物レンズと第２対物レンズとが同一のレンズホルダーに固定されている光ピックアップ装置に関し、光学系を簡潔にすることによって薄型化に適した光ピックアップ装置を提供する。【解決手段】  主基板上１に第１の動作位置と第２の動作位置との間を変位可能に移動基板３０を設けるとともに、該移動基板３０上に一端が固定されている支持ワイヤーによって光ディスクの信号面に対して垂直方向への変位動作及び光ディスクの径方向への変位動作を可能に支持されているレンズホルダー３１を設け、該レンズホルダー３１上に第１対物レンズＬ１と第２対物レンズＬ２を設ける。【選択図】  図１
2008176869.tif 000002
【特許請求の範囲】
【請求項１】
主基板上に設けられているとともに第１波長の第１レーザー光を放射する第1レーザーダイオードを含む第1光学系と前記主基板上に設けられているとともに前記第１レーザー光の波長と異なる第２波長の第２レーザー光を放射する第２レーザーダイオードを含む第２光学系を備えた光ピックアップ装置であり、前記主基板上の第１光学系から得られる第１レーザー光及び第２光学系から得られる第２レーザー光が照射される位置に固定されているとともに該レーザー光を光ディスクの信号面に対して垂直方向へ反射させる反射ミラーと、前記主基板上に第１の動作位置と第２の動作位置との間を変位可能に設けられている移動基板と、該移動基板に一端が固定されている支持ワイヤーによって光ディスクの信号面に対して垂直方向への変位動作及び光ディスクの径方向への変位動作を可能に支持されているレンズホルダーと、該レンズホルダー上に設けられているとともに前記移動基板が第１動作位置にあるとき前記反射ミラーにて反射された第１レーザー光が入射され、且つ該第１レーザー光を第１光ディスクの信号記録層に集光させる第１対物レンズと、前記レンズホルダー上に設けられているとともに前記移動基板が第２動作位置にあるとき前記反射ミラーにて反射された第２レーザー光が入射され、且つ該第２レーザー光を第２光ディスクの信号記録層に集光させる第２対物レンズとより成る光ピックアップ装置。
【請求項２】
主基板上に設けられているとともに第１波長の第１レーザー光を放射する第1レーザーダイオードを含む第1光学系と前記主基板上に設けられているとともに前記第１レーザー光の波長と各々波長が異なる第２波長の第２レーザー光及び第３波長の第３レーザー光を放射する第２レーザーダイオードを含む第２光学系を備えた光ピックアップ装置であり、前記主基板上の第１光学系から得られる第１レーザー光、第２光学系から得られる第２レーザー光及び第３レーザー光が照射される位置に固定されているとともに該レーザー光を光ディスクの信号面に対して垂直方向へ反射させる反射ミラーと、前記主基板上に第１の動作位置と第２の動作位置との間を変位可能に設けられている移動基板と、該移動基板に一端が固定されている支持ワイヤーによって光ディスクの信号面に対して垂直方向への変位動作及び光ディスクの径方向への変位動作を可能に支持されているレンズホルダーと、該レンズホルダー上に設けられているとともに前記移動基板が第１動作位置にあるとき前記反射ミラーにて反射された第１レーザー光が入射され、且つ該第１レーザー光を第１光ディスクの信号記録層に集光させる第１対物レンズと、前記レンズホルダー上に設けられているとともに前記移動基板が第２動作位置にあるとき前記反射ミラーにて反射された第２レーザー光又は第３レーザー光が入射され、且つ該第２レーザー光を第２光ディスクの信号記録層に又は第３レーザー光を第３光ディスクの信号記録層に集光させる第２対物レンズとより成る光ピックアップ装置。
【請求項３】
第１対物レンズの中心軸と第２対物レンズの中心軸とを結ぶ直線が光ディスクの径方向に一致するように第１対物レンズと第２対物レンズとをレンズホルダー上に配置固定したことを特徴とする請求項１または請求項２に記載の光ピックアップ装置。
【請求項４】
第１対物レンズの中心軸と第２対物レンズの中心軸とを結ぶ直線が光ディスクの接線方向に一致するように第１対物レンズと第２対物レンズとをレンズホルダー上に配置固定したことを特徴とする請求項１または請求項２に記載の光ピックアップ装置。
【請求項５】
移動基板の第１動作位置及び第２動作位置への変位動作を主基板上に設けられたモーターにて行うようにしたことを特徴とする請求項１または請求項２に記載の光ピックアップ装置。
【請求項６】
モーターとしてステッピングモーターを使用したことを特徴とする請求項５に記載の光ピックアップ装置。
【請求項７】
移動基板の第１動作位置及び第２動作位置への変位動作を主基板上に設けられたプランジャーにて行うようにしたことを特徴とする請求項１または請求項２に記載の光ピックアップ装置。
【請求項８】
第２対物レンズと反射ミラーとの間に第２対物レンズの開口数を変更す
る開口制限素子を設けたことを特徴とする請求項２に記載の光ピックアップ装置。
【請求項９】
第２レーザー光及び第３レーザー光を２波長レーザーダイオードにて生成するようにしたことを特徴とする請求項８に記載の光ピックアップ装置。
【請求項１０】
移動基板の第１動作位置及び第２動作位置への変位動作を直線変位動作にて行うようにしたことを特徴とする請求項１または請求項２に記載の光ピックアップ装置。
【請求項１１】
移動基板の第１動作位置及び第２動作位置への変位動作を回転変位動作にて行うようにしたことを特徴とする請求項１または請求項２に記載の光ピックアップ装置。
【発明の詳細な説明】
【技術分野】
【０００１】
本発明は、光ディスクに記録されている信号の読み出し動作や光ディスクに信号の記録動作を行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格やＨＤ−ＤＶＤ（High Density Digital Versatile Disk）規格の光ディスクを使用するものが開発されている。
【０００４】
ＣＤ規格の光ディスクに記録されている信号の読み出し動作を行うレーザー光としては、波長が７８０ｎｍである赤外光が使用され、ＤＶＤ規格の光ディスクに記録されている信号の読み出し動作を行うレーザー光としては、波長が６５０ｎｍの赤色光が使用されている。
【０００５】
そして、前記ＣＤ規格の光ディスクにおける信号記録層の上面に設けられている保護層の厚さは１．２ｍｍであり、この信号記録層から信号の読み出し動作を行うために使用される対物レンズの開口数は０．４５と規定されている。また、ＤＶＤ規格の光ディスクにおける信号記録層の上面に設けられている保護層の厚さは０．６ｍｍであり、この信号記録層から信号の読み出し動作を行うために使用される対物レンズの開口数は０．６と規定されている。
【０００６】
斯かるＣＤ規格及びＤＶＤ規格の光ディスクに対して、Ｂｌｕ−ｒａｙ規格やＨＤ−ＤＶＤ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と規定されている。
【０００８】
一方、ＨＤ−ＤＶＤ規格の光ディスクにおける信号記録層の上面に設けられている保護層の厚さは、０．６ｍｍであり、この信号記録層から信号の読み出し動作を行うために使用される対物レンズの開口数は、０．６５と規定されている。
【０００９】
前述したようにＢｌｕ−ｒａｙ規格やＨＤ−ＤＶＤ規格の光ディスクに記録されている信号の読み出し動作を行うためのレーザー光としては、波長が４０５ｎｍの青紫色光を使用することが出来るので、レーザーダイオードを兼用することによって両規格の光ディスクから信号の読み出し動作を行うことが出来る光ピックアップ装置を作ることが出来る。
【００１０】
しかしながら、両光ディスクから信号を読み出すためには、信号記録層の位置が大きく相違し、対物レンズの必要とする開口数が大きく異なるため、各光ディスクに対応させて開口数を切り換える必要があり、斯かる動作を行うことが出来る光ピックアップ装置が開発されている。（特許文献１参照。）
また、最近では、前述したＣＤ規格及びＤＶＤ規格の光ディスクだけでなく、Ｂｌｕ−ｒａｙ規格やＨＤ−ＤＶＤ規格の光ディスクも使用することが出来る光ディスク装置の製品化が行われている。斯かる光ディスク装置に使用される光ピックアップ装置は、当然使用可能な規格の光ディスクに設けられている信号記録層から信号の読み出し動作や該信号記録層への信号の記録動作を行うことが出来るように構成されることになる。
【００１１】
斯かる光ピックアップ装置は、前述した波長のレーザー光を単一の対物レンズにて光ディスクの信号記録層に照射させることが困難であるため、例えばＣＤ規格及びＤＶＤ規格の光ディスクにレーザー光を照射する対物レンズと例えばＢｌｕ−ｒａｙ規格の光ディスクにレーザー光を照射する対物レンズの２つの対物レンズが使用されることになる。（特許文献２参照。）
【特許文献１】特開２００６−１７２６０５号公報
【特許文献２】特開平１１−２３９６０号公報
【発明の開示】
【発明が解決しようとする課題】
【００１２】
２つの対物レンズが組み込まれている光ピックアップ装置において、第１対物レンズ及び第２対物レンズは、支持ワイヤーにて光ディスクの信号面方向及び光ディスクの径方向へ変位可能に支持されているレンズホルダー上に固定されており、前記レンズホルダーの変位動作によってレーザー光を光ディスクに設けられている信号記録層にスポットとして集光させるフォーカス制御動作及び信号記録層に設けられている信号トラック上にスポットを追従させるトラッキング制御動作を行うように構成されている。
【００１３】
規格の異なる複数の光ディスクに対応させるために第１対物レンズ及び第２対物レンズが組み込まれた光ピックアップ装置は、前述したように異なる波長のレーザー光を放射する複数のレーザーダイオードが組み込まれており、使用する光ディスクに対応させて光学系を切り換えるように構成されている。
【００１４】
その結果、光学系が複雑になり、小型化、特に薄型化を行うことが出来ないという問題がある。
【００１５】
本発明は、斯かる問題を解決することが出来る光ピックアップ装置を提供しようとするものである。
【課題を解決するための手段】
【００１６】
本発明は、主基板上の第１光学系から得られる第１レーザー光及び第２光学系から得られる第２レーザー光が照射される位置に固定されているとともに該レーザー光を光ディスクの信号面に対して垂直方向へ反射させる反射ミラーと、前記主基板上に第１の動作位置と第２の動作位置との間を変位可能に設けられている移動基板と、該移動基板に一端が固定されている支持ワイヤーによって光ディスクの信号面に対して垂直方向への変位動作及び光ディスクの径方向への変位動作を可能に支持されているレンズホルダーと、該レンズホルダー上に設けられているとともに前記移動基板が第１動作位置にあるとき前記反射ミラーにて反射された第１レーザー光が入射され、且つ該第１レーザー光を第１光ディスクの信号記録層に集光させる第１対物レンズと、前記レンズホルダー上に設けられているとともに前記移動基板が第２動作位置にあるとき前記反射ミラーにて反射された第２レーザー光が入射され、且つ該第２レーザー光を第２光ディスクの信号記録層に集光させる第２対物レンズとより構成されている。
【００１７】
また、本発明は、主基板上の第１光学系から得られる第１レーザー光、第２光学系から得られる第２レーザー光及び第３レーザー光が照射される位置に固定されているとともに
該レーザー光を光ディスクの信号面に対して垂直方向へ反射させる反射ミラーと、前記主基板上に第１の動作位置と第２の動作位置との間を変位可能に設けられている移動基板と、該移動基板に一端が固定されている支持ワイヤーによって光ディスクの信号面に対して垂直方向への変位動作及び光ディスクの径方向への変位動作を可能に支持されているレンズホルダーと、該レンズホルダー上に設けられているとともに前記移動基板が第１動作位置にあるとき前記反射ミラーにて反射された第１レーザー光が入射され、且つ該第１レーザー光を第１光ディスクの信号記録層に集光させる第１対物レンズと、前記レンズホルダー上に設けられているとともに前記移動基板が第２動作位置にあるとき前記反射ミラーにて反射された第２レーザー光又は第３レーザー光が入射され、且つ該第２レーザー光を第２光ディスクの信号記録層に又は第３レーザー光を第３光ディスクの信号記録層に集光させる第２対物レンズとより構成されている。
【００１８】
そして、本発明は、第１対物レンズの中心軸と第２対物レンズの中心軸とを結ぶ直線が光ディスクの径方向に一致するように第１対物レンズ及び第２対物レンズをレンズホルダー上に配置固定されている。
【００１９】
更に、本発明は、第１対物レンズの中心軸と第２対物レンズの中心軸とを結ぶ直線が光ディスクの接線方向に一致するように第１対物レンズ及び第２対物レンズをレンズホルダー上に配置固定されている。
【００２０】
また、本発明は、移動基板の第１動作位置及び第２動作位置への変位動作を主基板上に設けられたモーターにて行うように構成されている。
【００２１】
そして、本発明は、移動基板の第１動作位置及び第２動作位置への変位動作を主基板上に設けられたプランジャーにて行うように構成されている。
【００２２】
また、本発明は、第２対物レンズと反射ミラーとの間に第２対物レンズの開口数を変更する開口制限素子を設けたことを特徴とするものである。
【００２３】
そして、本発明は、第２レーザー光及び第３レーザー光を２波長レーザーダイオードにて生成するように構成されている。
【００２４】
また、本発明は、移動基板の第１動作位置及び第２動作位置への変位動作を直線変位動作または回転変位動作にて行うように構成されている。
【発明の効果】
【００２５】
本発明は、第１波長の第１レーザー光を放射する第1レーザーダイオードを含む第1光学系から照射される第１レーザー光及び前記第１レーザー光の波長と異なる第２波長の第２レーザー光を放射する第２レーザーダイオードを含む第２光学系から照射される第２レーザー光が照射される反射ミラーを設け、この反射ミラーにて反射されるレーザー光の光路内に第１対物レンズと第２対物レンズとを切替配置する動作を移動基板の変位動作によって行うようにしたので、光学構成が簡潔となり、光ピックアップ装置の薄型化に対して非常に大きな効果を奏するものである。
【実施例】
【００２６】
図１及び図２は本発明の光ピックアップ装置を示す概略図、図３及び図４は光ディスクと光学系との関係を示す概略図である。
【００２７】
本実施例では、Ｂｌｕ−ｒａｙ規格の光ディスク(第１光ディスクＤ１)、ＣＤ規格の光ディスク(第２光ディスクＤ２)及びＤＶＤ規格の光ディスク(第３光ディスクＤ３)に対応
した光ピックアップ装置について説明する。
【００２８】
図１及び図２において、１は光ピックアップ装置を構成する主基板であり、光ディスク装置に組み込まれるピックアップ駆動機構によって光ディスクの径方向、即ち矢印Ａ及びＢ方向へ変位されるように構成されている。斯かる光ピックアップの駆動機構の構成は周知であるので、その説明は省略する。
【００２９】
２は第１波長、例えば４０５ｎｍの青紫色光である第１レーザー光を放射するレーザーダイオード、３は前記レーザーダイオード２から放射される第１レーザー光が入射される第１回折格子であり、第１レーザー光を０次光、＋１次光及び−１次光に分離する回折格子部３ａと入射される第１レーザー光をＳ方向の直線偏光光に変換する１／２波長板３ｂとより構成されている。
【００３０】
４は前記第１回折格子３を透過した信号が入射される第１偏光ビームスプリッタであり、Ｓ偏光された第１レーザー光を反射し、Ｐ方向に偏光された第１レーザー光を透過させる制御膜４ａが設けられている。５は前記レーザーダイオード２から放射された第１レーザー光の中の前記第１偏光ビームスプリッタ４を透過したレーザー光が照射される位置に設けられている第１モニター用光検出器であり、その検出出力は前記レーザーダイオード２から放射されるレーザー光の出力を制御するために使用される。
【００３１】
６は前記第１偏光ビームスプリッタ４の制御膜４ａにて反射された第１レーザー光が入射される位置に設けられている第１の１／４波長板であり、入射される第１レーザー光を直線偏光光から円偏光光に変換する作用を成すものである。７は前記第１１／４波長板６を透過したレーザー光が入射される第１コリメートレンズであり、入射されたレーザー光を平行光にする作用を成すとともにＢｌｕ−ｒａｙ規格の第１光ディスクＤ１の保護層による球面収差を補正するために設けられている。
【００３２】
８は前記第１コリメートレンズ７にて平行光に変換された第１レーザー光が入射されるとともに該第１レーザー光を反射させる第１反射ミラーであり、後述するように第１光ディスクＤ１の信号記録層Ｒ１から反射された戻り光が入射されるとともに該戻り光を前記第１偏光ビームスプリッタ４の方向へ反射させる作用を成すように設けられている。
【００３３】
９は前記第１偏光ビームスプリッタ４に設けられている制御膜４ａを透過した戻り光が入射される第１センサーレンズであり、シリンドリカル面、平面、凹曲面または凸曲面等が入射面側及び出射面側に形成されている。斯かる第１センサーレンズ９は戻り光に非点収差を発生させることによってフォーカス制御動作に使用されるフォーカスエラー信号を生成させるために設けられている。１０は前記第1センサーレンズ９を通過した戻り光が集光されて照射される位置に設けられている第１光検出器であり、フォトダイオードが配列された４分割センサー等にて構成されている。斯かる第１光検出器１０の構成及び非点収差法によるフォーカスエラー信号の生成動作等は周知であり、その説明は省略する。
【００３４】
前述したレーザーダイオード２、第１回折格子３、第１偏光ビームスプリッタ４、第１モニター用光検出器５、第１１／４波長板６、第１コリメートレンズ７、第１反射ミラー８、第１センサーレンズ９及び第１光検出器１０にて本発明に係る光ピックアップ装置の第１光学系は構成されており、斯かる第１光学系は、前記主基板１上に設けられている。
【００３５】
以上に説明したように第１光ディスクＤ１に設けられている信号記録層Ｒ１に記録されている信号の再生動作または該信号記録層Ｒ１へ信号の記録動作を行う第１光学系は構成されているが、次に第２光ディスクＤ２及び第３光ディスクＤ３設けられている信号記録層Ｒ２及びＲ３に記録されている信号の再生動作または該信号記録層Ｒ２及びＲ３へ信号
の記録動作を行う第２光学系の構成について説明する。
【００３６】
１１は第２波長、例えば７８０ｎｍの赤外光である第２レーザー光及び第３波長、例えば６５０ｎｍの赤色光である第３レーザー光の波長が異なる２つの波長のレーザー光を放射する２波長レーザーダイオードである。
【００３７】
１２は前記２波長レーザーダイオード１１から放射される第２レーザー光または第３レーザー光が入射される第２回折格子であり、入射されるレーザー光を０次光、＋１次光及び−１次光に分離する回折格子部１２ａと入射されるレーザー光をＳ方向の直線偏光光に変換する１／２波長板１２ｂとより構成されている。
【００３８】
１３は前記第２回折格子１２を透過した信号が入射される第２偏光ビームスプリッタであり、Ｓ偏光された第２レーザー光または第３レーザー光を反射し、Ｐ方向に偏光された第２レーザー光または第３レーザー光を透過させる制御膜１３ａが設けられている。１４は前記２波長レーザーダイオード１１から放射された第２レーザー光または第３レーザー光の中の前記第２偏光ビームスプリッタ１３の制御膜１３ａにて反射されたレーザー光が照射される位置に設けられている第２モニター用光検出器であり、その検出出力は前記２波長レーザーダイオード１１から放射されるレーザー光の出力を制御するために使用される。
【００３９】
１５は前記第２偏光ビームスプリッタ１３を透過した第２レーザー光または第３レーザー光が入射される第２の１／４波長板であり、入射される第２レーザー光または第３レーザー光を直線偏光光から円偏光光に変換する作用を成すものである。
【００４０】
１６は前記第２１／４波長板１５を透過した第２レーザー光または第３レーザー光が入射されるとともに入射されたレーザー光を反射させる第２反射ミラーであり、後述するように第２光ディスクＤ２の信号記録層Ｒ２または第３光ディスクＤ３の信号記録層Ｒ３から反射された戻り光が入射されるとともに該戻り光を前記第２偏光ビームスプリッタ１３の方向へ反射させる作用を成すように設けられている。
【００４１】
１７は前記第２反射ミラー１６にて反射された第２レーザー光または第３レーザー光が入射されるとともに該レーザー光を平行光にする第２コリメートレンズである。
【００４２】
１８は前記第２偏光ビームスプリッタ１３に設けられている制御膜１３ａによって反射された戻り光が入射される第２センサーレンズであり、シリンドリカル面、平面、凹曲面または凸曲面等が入射面側及び出射面側に形成されている。斯かる第２センサーレンズ１８は戻り光に非点収差を発生させることによってフォーカス制御動作に使用されるフォーカスエラー信号を生成させるために設けられている。１９は前記第２センサーレンズ１８を通過した戻り光が集光されて照射される位置に設けられている第２光検出器であり、フォトダイオードが配列された４分割センサー等にて構成されている。斯かる第２光検出器１９の構成及び非点収差法によるフォーカスエラー信号の生成動作等は周知であり、その説明は省略する。
【００４３】
前述した２波長レーザーダイオード１１、第２回折格子１２、第２偏光ビームスプリッタ１３、第２モニター用光検出器１４、第２１／４波長板１５、第２反射ミラー１６、第２コリメートレンズ１７、第２センサーレンズ１８及び第２光検出器１９にて本発明に係る光ピックアップ装置の第２光学系は構成されており、斯かる第２光学系は、前述した第１光学系と同様に前記主基板１上に設けられている。
【００４４】
２０は前記第１光学系を構成する第１反射ミラー８にて反射された第１レーザー光及び
前記第２光学系を構成する第２反射ミラー１６にて反射された第２レーザー光または第３レーザー光が異なる方向から入射される波長選択性偏光ビームスプリッタであり、前記主基板１上に固定されている。前記波長選択性偏光ビームスプリッタ２０に設けられている制御膜２０ａは、第１波長の第１レーザー光は反射させ、第２波長の第２レーザー光及び第３波長の第３レーザー光は透過させる特性を有するようにされている。
【００４５】
２１は前記波長選択性偏光ビームスプリッタ２０にて反射された第１レーザー光、前記波長選択性偏光ビームスプリッタ２０を透過した第２レーザー光または第３レーザー光が入射されるとともに該レーザー光を光ディスクＤ１、Ｄ２、Ｄ３の信号面に対して垂直になる方向に反射させる立ち上げミラーであり、図３及び図４に示すように主基板１上に固定されている。
【００４６】
Ｌ１は図３に示すように第１光ディスクＤ１を使用するとき前記立ち上げミラー２１にて反射される第１レーザー光の光路内に配置される第１対物レンズであり、入射される第１レーザー光を前記第１光ディスクＤ１に設けられている信号記録層Ｒ１に集光させる作用を成すものである。
【００４７】
Ｌ２は図４に示すように第２光ディスクＤ２または第３光ディスクＤ３を使用するとき前記立ち上げミラー２１にて反射される第２レーザー光または第３レーザー光の光路内に配置される第２対物レンズであり、入射される第２レーザー光または第３レーザー光を前記第２光ディスクＤ２に設けられている信号記録層Ｒ２または第３光ディスクＤ３の信号記録層Ｒ３に集光させる作用を成すものである。
【００４８】
２２は前記立ち上げミラー２１と第２対物レンズＬ２との間の光路内に設けられている開口制限素子であり、第２光ディスクＤ２を使用する場合には、前記第２対物レンズＬ２の開口数を０．４５に設定し、第３光ディスクＤ３を使用する場合には、前記第２対物レンズＬ２の開口数を０．６に設定する作用を成すものである。斯かる開口制限素子２２としては、周知のように液晶を使用したものが一般的であり、その説明は省略する。
【００４９】
前述したように第１対物レンズＬ１及び第２対物レンズＬ２は、図３に示した位置と図４に示した位置との間を変位するようにされているが、次に斯かる構成について説明する。
【００５０】
図１及び図２において、２３は前記主基板１上に固定されているモーターであり、回転軸２４に駆動歯車２５が固着されている。２６は前記主基板１上に回転可能に設けられているとともに周縁に送り溝２７が形成されている駆動軸であり、前記駆動歯車２５と噛み合った状態にある伝達歯車２８が一端に固定されているとともに軸方向が光ディスクの径方向と一致するように設けられている。
【００５１】
２９は前記駆動軸２６と平行になるように前記主基板１上に設けられているガイド軸、３０は前記駆動軸２６とガイド軸２９によって光ディスクの径方向への変位を可能に設けられている移動基板であり、前記駆動軸２６に設けられている送り溝２７と噛み合う噛み合い歯(図示せず)が設けられている。従って、前記駆動軸２６が回転すると、その回転方向を制御することによって前記移動基板３０は、図１に示す第１動作位置と図２に示す第２動作位置との間を変位せしめられることになる。
【００５２】
３１は前記第１対物レンズＬ１及び第２対物レンズＬ２が固定されているレンズホルダーであり、一端が移動基板３０に固定されている印刷基板３２に半田にて固定されている支持ワイヤー３３によって光ディスクの信号面に対して垂直方向、即ちフォーカス方向への変位動作及び光ディスクの径方向、即ちトラッキング方向への変位動作を可能に支持さ
れている。
【００５３】
前記レンズホルダー３１には前記支持ワイヤー３３を通して供給されるフォーカス制御信号及びトラッキング制御信号が供給されるフォーカシングコイル及びトラッキングコイルが設けられており、前記移動基板３０上に設けられているマグネット３４、３５との協働によってレンズホルダー３０をフォーカス方向及びトラッキング方向に変位させるように構成されている。
【００５４】
斯かる構成において、モーター２３が回転するとその回転力が駆動歯車２５及び伝達歯車２８を介して駆動軸２６に伝達されるので、モーター２３の回転方向を切り換えることによって図１に示す第１動作位置から図２に示す第２動作位置へ、また反対に第２動作位置から第１動作位置に移動基板３０を変位させることが出来る。
【００５５】
前述したようにモーター２３の回転動作によって移動基板３０を第１動作位置及び第２動作位置に変位させることが出来るが、その方向は光ディスクの径方向と一致するように構成されている。また、レンズホルダー３１上に固定される第１対物レンズＬ１の光軸である中心軸と第２対物レンズＬ２の光軸である中心軸とを結ぶ直線が光ディスクの径方向と一致するように第１対物レンズＬ１及び第２対物レンズＬ２は配置固定されている。
【００５６】
以上に説明したように本発明に係る光ピックアップ装置は構成されているが、次に斯かる構成の光ピックアップ装置における第１光学系による信号の読み取り動作について説明する。
【００５７】
第１光ディスクＤ１を使用する場合には、モーター２３の回転駆動動作によって移動基板３０は図１に示す第１動作位置に変位せしめられる。前記移動基板３０が第１動作位置にある状態では、図３に示すように第１対物レンズＬ１が立ち上げミラー２１から反射される第１レーザー光の光路内に位置するとともに第１光ディスクＤ１に設けられている信号記録層Ｒ１に第１レーザー光を集光させる状態になる。
【００５８】
斯かる第１光ディスクＤ１を使用する場合には、レーザーダイオード２に駆動電流が供給され、該レーザーダイオード２から第１波長の第１レーザー光が放射される。前記レーザーダイオード２から放射された第１レーザー光は、第１回折格子３に入射され、該第１回折格子３を構成する回折格子部３ａによって０次光、＋１次光及び−１次光に分離されるとともに１／２波長板３ｂによってＳ方向の直線偏光光に変換される。前記第１回折格子３を透過した第１レーザー光は、第１偏光ビームスプリッタ４に入射され、該第１偏光ビームスプリッタ４に設けられている制御膜４ａにて反射されるとともに一部のレーザー光は透過して第１モニター用光検出器５に照射される。
【００５９】
前記制御膜４ａにて反射された第１レーザー光は、第１１／４波長板６を通して第１コリメートレンズ７に入射され該第１コリメートレンズ７の働きによって平行光に変換される。前記第１コリメートレンズ７によって平行光に変換された第１レーザー光は、第１反射ミラー８にて反射された後前記波長選択性偏光ビームスプリッタ２０に入射される。
【００６０】
前記波長選択性偏光ビームスプリッタ２０に入射された第１レーザー光は、制御膜２０ａにて反射されて立ち上げミラー２１に入射される。前記立ち上げミラー２１に入射された第１レーザー光は、図３に示すように反射されて第１対物レンズＬ１に入射される。前記第１対物レンズＬ１に入射された第１レーザー光は該第１対物レンズＬ１の集光動作によって第１光ディスクＤ１の信号記録層Ｒ１にスポットとして照射されることになる。このようにして、レーザーダイオード１から放射される第１レーザー光は、第１光ディスクＤ１の信号記録層Ｒ１に所望のスポットとして照射されるが、この場合における第１対物
レンズＬ１の開口数は０．８５になるように設定されている。
【００６１】
また、前述した第１対物レンズＬ１による第１レーザー光の集光動作が行われるとき、信号記録層Ｒ１と第１光ディスクＤ１の信号入射面との間にある保護層の厚みの相違によって球面収差が発生するが、本実施例に示した第１コリメートレンズ７を光路方向へ変位させることによってこの球面収差が最も少なくなるように調整することが出来る。斯かる調整動作は一般的に行われており、その説明は省略する。
【００６２】
前述した動作によって第１レーザー光の第１光ディスクＤ１に設けられている信号記録層Ｒ１への照射動作が行われるが、斯かる照射動作が行われるとき、該信号記録層Ｒ１から反射される戻り光が第１対物レンズＬ１に対して第１光ディスクＤ１側から入射される。前記第１対物レンズＬ１に入射された戻り光は、立ち上げミラー２１、波長選択性偏光ビームスプリッタ２０、第１反射ミラー８、第１コリメートレンズ７及び第１１／４波長板６を通して第１偏光ビームスプリッタ４に入射される。前記第１偏光ビームスプリッタ４に入射される戻り光は、Ｐ方向の直線偏光光に変換されているので、該第１偏光ビームスプリッタ４に設けられている制御膜４ａを透過することになる。
【００６３】
前記制御膜４ａを透過した第１レーザー光の戻り光は、第１センサーレンズ９に入射され、該第１センサーレンズ９の働きによって非点収差が発生せしめられる。前記第１センサーレンズ９によって非点収差が発生せしめられた戻り光は、該第１センサーレンズ９の集光動作によって第１光検出器１０に設けられている４分割センサー等のセンサー部に照射される。このようにして戻り光が第１光検出器１０に照射される結果、該第１光検出器１０に組み込まれているセンサー部に照射されるスポット形状の変化を利用して周知のようにフォーカスエラー信号の生成動作が行われる。斯かるフォーカスエラー信号を利用して第１対物レンズＬ１を第１光ディスクＤ１の信号面方向へ変位させることによってフォーカス制御動作を行うことが出来る。
【００６４】
前述したように第１光ディスクＤ１に記録されている信号の読み取り動作は行われるが、斯かる読み取り動作が行われているとき第１モニター用光検出器５に第１レーザー光の一部が照射されているので、該第１モニター用光検出器５から得られるモニター信号を利用してレーザーダイオード２に供給される駆動電流値を制御することが出来る。
【００６５】
レーザーダイオード２に供給される駆動電流値を制御することによって第１レーザー光の出力を制御することが出来るので、第１光ディスクＤ１に記録されている信号の読み取り動作だけでなく該第１光ディスクＤ１に信号を記録する場合に要求されるレーザー出力の調整動作も行うことが出来る。
【００６６】
以上に説明したように第１光ディスクＤ１を使用する場合の動作、即ち光ピックアップ装置を構成する第１光学系を使用する場合の動作は行われるが、次に第２光ディスクＤ２を使用する場合の動作、即ち第２光学系を使用する場合の動作について説明する。
【００６７】
第２光ディスクＤ２を使用する場合には、モーター２３の回転駆動動作によって移動基板３０は図２に示す第２動作位置に変位せしめられる。前記移動基板３０が第２動作位置にある状態では、図４に示すように第２対物レンズＬ２が立ち上げミラー２１から反射される第２レーザー光の光路内に位置するとともに第２光ディスクＤ２に設けられている信号記録層Ｒ２に第２レーザー光を集光させる状態になる。
【００６８】
斯かる第２光ディスクＤ２を使用する場合には、２波長レーザーダイオード１１に駆動電流が供給され、該２波長レーザーダイオード１１から第２波長の第２レーザー光が放射される。また、開口制限素子２２に対する選択制御動作が行われ、第２対物レンズＬ２の
開口数を０．４５に設定する動作が行われる。
【００６９】
前記２波長レーザーダイオード１１から放射された第２レーザー光は、第２回折格子１２に入射され、該第２回折格子１２を構成する回折格子部１２ａによって０次光、＋１次光及び−１次光に分離されるとともに１／２波長板１２ｂによってＳ方向の直線偏光光に変換される。前記第２回折格子１２を透過した第２レーザー光は、第２偏光ビームスプリッタ１３に入射され、該第２偏光ビームスプリッタ１２に設けられている制御膜１３ａを透過するとともに一部のレーザー光は反射されて第２モニター用光検出器１４に照射される。
【００７０】
前記制御膜１３ａにて反射された第２レーザー光は、第２１／４波長板１５を通して第２反射ミラー１６に入射された後反射される。前記第２反射ミラー１６によって反射された第２レーザー光は、第２コリメートレンズ１７に入射され、該第２コリメートレンズ１７の働きによって平行光に変換される。前記第２コリメートレンズ１７によって平行光に変換された第２レーザー光は、前記波長選択性偏光ビームスプリッタ２０に入射される。
【００７１】
前記波長選択性偏光ビームスプリッタ２０に入射された第２レーザー光は、制御膜２０ａを透過して立ち上げミラー２１に入射される。前記第２立ち上げミラー２１に入射された第２レーザー光は、図４の実線で示すように反射されるとともに開口制限素子２２によって開口が制限されて第２対物レンズＬ２に入射される。前記第２対物レンズＬ２に入射された第２レーザー光は該第２対物レンズＬ２の集光動作によって第２光ディスクＤ２の信号記録層Ｒ２にスポットとして照射されることになる。このようにして、２波長レーザーダイオード１１から放射される第２レーザー光は、第２光ディスクＤ２の信号記録層Ｒ２に所望のスポットとして照射されるが、この場合における第２対物レンズＬ２の開口数は０．４５になる。
【００７２】
前述した動作によって第２レーザー光の第２光ディスクＤ２に設けられている信号記録層Ｒ２への照射動作が行われるが、斯かる照射動作が行われるとき、該信号記録層Ｒ２から反射される戻り光が第２対物レンズＬ２に第２光ディスクＤ２側から入射される。前記第２対物レンズＬ２に入射された戻り光は、開口制限素子２２、立ち上げミラー２１、波長選択性偏光ビームスプリッタ２０、第２コリメートレンズ１７、第２反射ミラー１６及び第２１／４波長板１５を通して第２偏光ビームスプリッタ１３に入射される。前記第２偏光ビームスプリッタ１３に入射される戻り光は、Ｐ方向の直線偏光光に変換されているので、該第２偏光ビームスプリッタ１３に設けられている制御膜１３ａにて反射されることになる。
【００７３】
前記制御膜１３ａにて反射された第２レーザー光の戻り光は、第２センサーレンズ１８に入射され、該第２センサーレンズ１８の働きによって非点収差が発生せしめられる。前記第２センサーレンズ１８によって非点収差が発生せしめられた戻り光は、該第２センサーレンズ１８の集光動作によって第２光検出器１９に設けられている４分割センサー等のセンサー部に照射される。このようにして戻り光が第２光検出器１９に照射される結果、該第２光検出器１９に組み込まれているセンサー部に照射されるスポット形状の変化を利用して周知のようにフォーカスエラー信号の生成動作が行われる。斯かるフォーカスエラー信号を利用して第２対物レンズＬ２を第２光ディスクＤ２の信号面方向へ変位させることによってフォーカス制御動作を行うことが出来る。
【００７４】
前述したように第２光ディスクＤ２に記録されている信号の読み取り動作は行われるが、斯かる読み取り動作が行われているとき第２モニター用光検出器１４に第２レーザー光の一部が照射されているので、該第２モニター用光検出器１４から得られるモニター信号を利用して２波長レーザーダイオード１１に供給される駆動電流値を制御することが出来
る。
【００７５】
２波長レーザーダイオード１１に供給される駆動電流値を制御することによって第２レーザー光の出力を制御することが出来るので、第２光ディスクＤ２に記録されている信号の読み取り動作だけでなく該第２光ディスクＤ２に信号を記録する場合に要求されるレーザー出力の調整動作も行うことが出来る。
【００７６】
以上に説明したように第２光学系を使用した第２光ディスクＤ２に対する動作は行われるが、次に第２光学系を使用した第３光ディスクＤ３に対する動作について説明する。
【００７７】
第３光ディスクＤ３を使用する場合には、第２光ディスクＤ２を使用する場合と同様にモーター２３の回転駆動動作によって移動基板３０は図２に示す第２動作位置に変位せしめられる。
【００７８】
前記移動基板３０が第２動作位置にある状態では、図４に示すように第２対物レンズＬ２が立ち上げミラー２１から反射される第２レーザー光の光路内に位置するとともに第３光ディスクＤ３に設けられている信号記録層Ｒ３に第３レーザー光を集光させる状態になる。
【００７９】
斯かる第３光ディスクＤ３を使用する場合には、２波長レーザーダイオード１１に駆動電流が供給され、該２波長レーザーダイオード１１から第３波長の第３レーザー光が放射される。また、開口制限素子２２に対する選択制御動作が行われ、第２対物レンズＬ２の開口数を０．６に設定する動作が行われる。斯かる開口制限素子２２に対する選択制御動作が行われて第３レーザー光が第３光ディスクＤ３に設けられている信号記録層Ｒ３に照射されるが、斯かる場合の第３レーザー光の光路は図４の破線で示すようになる。
【００８０】
斯かる状態において、前記２波長レーザーダイオード１１から放射される第３レーザー光は、前述した第２レーザー光と同一の光路を通して第３光ディスクＤ３の信号記録層Ｒ３に照射されるとともに該信号記録層Ｒ３から反射された戻り光が同一の光路を通して第２光検出器１９に照射される。従って、第２光ディスクＤ２に対するフォーカス制御動作と同様の動作が第３光ディスクＤ３に対しても行われることになる。また、第２モニター用光検出器１４から得られるモニター信号を利用するレーザー出力の制御動作も同様に行うことが出来る。
【００８１】
また、本実施例では、第１対物レンズＬ１の中心軸と第２対物レンズＬ２中心軸とを結ぶ直線が光ディスクの径方向に一致するように第１対物レンズＬ１と第２対物レンズＬ２とをレンズホルダー３１上に配置固定したが、第１対物レンズＬ１の中心軸と第２対物レンズＬ２中心軸とを結ぶ直線が光ディスクの径方向に対して直角になるように、即ち接線方向になるように第１対物レンズＬ１と第２対物レンズＬ２とをレンズホルダー３１上に配置固定するようにすることも出来る。
【００８２】
そして、本実施例では、第２光学系の構成として２つの異なる波長のレーザー光を放射する２波長レーザーダイオードを使用したが、１波長のレーザー光を放射するレーザーダイオードを複数個使用することによって構成することも出来る。
【００８３】
また、移動基板３０を第１動作位置と第２動作位置との間を変位させる手段としてモーターを使用したがプランジャーの吸引力を利用して変位させるように構成することも出来る。そして、モーターとしてステッピングモーターを使用すると移動基板の動作位置の規制制御動作を正確に行うことが出来る。
【００８４】
また、ＨＤ−ＤＶＤ規格の光ディスクを使用する場合には保護層の厚さが０．６ｍｍであるので、第１光学系を動作させるとともに第２対物レンズＬ２を使用することによって実施することが出来る。
【００８５】
そして、本実施例では、移動基板の第１動作位置及び第２動作位置への変位動作を直線変位動作にて行うようにしたが、回転変位動作にて行うようにすることも出来る。
【図面の簡単な説明】
【００８６】
【図１】本発明の光ピックアップ装置を示す概略図である。
【図２】本発明の光ピックアップ装置を示す概略図である。
【図３】本発明に係る光ディスクと光学系との関係を示す概略図である。
【図４】本発明に係る光ディスクと光学系との関係を示す概略図である。
【符号の説明】
【００８７】
１      主基板
２      レーザーダイオード
４      第１偏光ビームスプリッタ
１１    ２波長レーザーダイオード
１３    第２偏光ビームスプリッタ
２０    波長選択性偏光ビームスプリッタ
２１    立ち上げミラー
２２    開口制限素子
２３    モーター
２６    駆動軸
２９    ガイド軸
３０    移動基板
３１    レンズホルダー
３３    支持ワイヤー
Ｌ１    第１対物レンズ
Ｌ２    第２対物レンズ
【図１】
2008176869.tif 000003
【図２】
2008176869.tif 000004
【図３】
2008176869.tif 000005
【図４】
2008176869.tif 000006